(57)【要約】【課題】日常的に入浴装置として使用している浴槽等を健康増進装置に簡単に変換できるようにすること、即ち、水槽として一般家庭等にある既設の浴槽に健康増進装置を簡単に設置できるようにし、そのためにも健康増進装置に可搬性を加えること。【解決手段】マイクロバブル洗浄装置は、水槽１に浸漬された被噴射対象Ｔに対し、水中でマイクロバブルを含む塊状の液体を噴射し、空中の任意の位置からマイクロバブルを含むシャワー状の液体を噴射する前記マイクロバブル発生装置２がポンプＰに接続されて構成されている。ポンプＰは水槽１の湯水等を吸水管３を介して吸水する共に加圧水を吐出管４を介して前記ＭＢ装置２に循環供給する。【選択図】        図１
2018094328.tif 000002
【特許請求の範囲】
【請求項１】
一端側に気体導入孔が開設され、他端側に開口部が形成された円筒形スペースを有する容器本体と、前記円筒形スペースの内壁円周面の一部にその接線方向に開設され、且つ、加圧された液体を送水する配管に接続される加圧液体導入口とからなるマイクロバブル発生装置を用いて、このマイクロバブル発生装置が噴射するマイクロバブル及びそれを含む液体を浴びる被噴射体の健康を増進する健康増進装置において、
キャップ前面において、中央部を塞いで、その周辺部のみに開孔した別容器を前記他端側に備え、且つ、被噴射対象に対し、水中で、マイクロバブルを含む塊状の液体を噴射し、空中の任意の位置からマイクロバブルを含むシャワー状の液体を噴射する少なくとも１機の前記マイクロバブル発生装置を備えることを特徴とする健康増進装置。
【請求項２】
一端側に気体導入孔が開設され、他端側に開口部が形成された円筒形スペースを有する容器本体と、前記円筒形スペースの内壁円周面の一部にその接線方向に開設され、且つ、加圧された液体を送水する配管に接続される加圧液体導入口とからなるマイクロバブル発生装置を用いて、このマイクロバブル発生装置が噴射するマイクロバブル及びそれを含む液体を浴びる被噴射体の健康を増進する健康増進装置において、
前記配管から分岐された分岐配管に前記加圧液体導入口が接続される複数のマイクロバブル発生装置が、水槽に収容された被噴射対象に
に向い、前記各開口部が前記被噴射対象に臨むように配置されていることを特徴とする健康増進装置とした。
【請求項３】
前記マイクロバブル発生装置は、液体中で、マイナス４０ミリボルト前後の負電位を有し、その直径が約１０〜４０μｍのマイクロバブルを大量に発生させ、その発生直後から、そのほとんどを収縮させるマイクロバブルを発生させることを特徴とする請求項１又は２の健康増進装置。
【請求項４】
前記マイクロバブル発生装置の他端側には、前記開口部から噴射されるマイクロバブルをシャワー状に噴射させるキャップが着脱自在に取り付けられていることを特徴とする請求項１又は２の健康増進装置。
【請求項５】
前記被噴射対象に対し、マイクロバブルとそれを含む液体を近接させて噴射できるように、前記開口部が配置されていることを特徴とする請求項１又は２の健康増進装置。
【請求項６】
前記被噴射対象は、愛玩動物のペットであることを特徴とする請求項１又は２の健康増進装置。
【請求項７】
前記被噴射対象は、半身浴又は全身浴の被噴射者であることを特徴とする請求項２の健康増進装置。
【請求項８】
前記被噴射対象は、被噴射者の膝であることを特徴とする請求項２の健康増進装置。
【請求項９】
前記健康増進装置には、可動架台が設けられていることを特徴とする請求項１又は２の健康増進装置。
【請求項１０】
前記健康増進装置には、ヒータが付けられていることを特徴とする請求項１又は２の健康増進装置。
【請求項１１】
前記健康増進装置には、その作動を制御するタイマが付けられていることを特徴とする請求項１又は２の健康増進装置。
【請求項１２】
前記健康増進装置は、マイクロバブルを含む液体の噴出圧、流量又は液体温度を制御できることを特徴とする請求項１又は２の健康増進装置。
【発明の詳細な説明】
【技術分野】
【０００１】
本発明は、マイクロバブル発生装置から噴射されるマイクロバブルとそれを含む液体を被噴射体の健康増進に適用する健康増進装置に関する。
【背景技術】
【０００２】
従来より、微細気泡発生器を用いた足浴装置等の健康増進装置が知られている。
例えば、特許文献１の「足浴装置」は、足浴容器１１と、足浴容器１１内に貯留された湯に浸漬された微細気泡発生部２４のケーシング２４ａ内に配置された複数の微細気泡発生器１２，１３と、送水管１８を介して足浴容器１１内の湯を微細気泡発生器１２，１３に対して循環供給するポンプＰと、微細気泡発生器１２，１３へ空気を供給する気体流路１４ａ，１４ｂ，１５とを備えて構成されている。
この「足浴装置」の効果は、「・・・血行増進作用、鎮静作用、自律神経調整作用を得ることができる」（同文献段落「００１６」）とされている。
【０００３】
また、特許文献２の「浴槽アダプタ及びこれを用いた給湯機」は、貯湯タンクユニット２、ヒートポンプユニット６０、温浴エジェクタ８０及び浴槽アダプタ９０等を備えており、温浴エジェクタ８０から微細気泡が発生し、この微細気泡が混入した浴槽水は、浴槽アダプタ９０を介して浴槽５０内に供給されることとなる（同文献２の明細書段落００２１）。
同文献２においても、「浴槽５０内での入浴姿勢や入浴位置によらず、入浴者の全身に微細気泡を付着させることができ、この微細気泡が破裂するときの微振動により全身の血流量を増加させて高い温浴効果を得ることができる」（同文献２の明細書段落００２９）ことが記載されている。
【０００４】
しかし、特許文献１の「足浴装置」は、日常的な入浴装置に併用できるものではなく、また、特許文献２の「浴槽アダプタ及びこれを用いた給湯機」を設置した浴槽は、入浴装置に「浴槽アダプタ及びこれを用いた給湯機」を浴槽に組み込む必要がある。
即ち、これらの足浴装置等は、水槽として一般家庭等にある既設の浴槽に簡単に設置できるものではなく、また、これらの健康増進装置は、据付タイプのもので可搬性に欠けていることからも、既設の浴槽に簡単に設置できるものではない。
【０００５】
また、特許文献１の微細気泡発生器１２，１３及び特許文献２の温浴エジェクタ８０は、シャワーとして使用できないし、温浴以外の用途は示唆されていない。
【０００６】
さらに、特許文献１及び同２に記載されている「血行増進作用」及び「温浴効果」の各記載は、定性的な記述にとどまり（例えば特許文献１の段落００５２、表１参照）、必ずしも客観性のある定量的な実験データ等の裏付けは記載されていない。
【先行技術文献】
【特許文献】
【０００７】
【特許文献１】特許第４８０７９６８号
【特許文献２】特開２０１４−１８４６１
【発明の概要】
【発明が解決しようとする課題】
【０００８】
そこで、本発明は、日常的に入浴装置として使用している浴槽等を健康増進装置に簡単に変換できるようにすること、即ち、水槽として一般家庭等にある既設の浴槽に健康増進装置を簡単に設置できるようにし、そのためにも健康増進装置に可搬性を加えること、
【０００９】
微細気泡発生器をシャワーとして使用できるようにし、温浴以外の用途に広げること、また健康増進装置の利用を、愛玩動物のペットにも広げることができるようにすること、
【００１０】
さらに、客観性のある定量的な実験データ等を揃えて、マイクロバブル発生装置が健康増進に有用であることを明らかにして、その上で健康増進装置を提供すること等を目的とする。
【課題を解決するための手段】
【００１１】
この目的を達成するため、本発明に係る健康増進装置は、
一端側に気体導入孔が開設され、他端側に開口部が形成された円筒形スペースを有する容器本体と、前記円筒形スペースの内壁円周面の一部にその接線方向に開設され、且つ、加圧された液体を送水する配管に接続される加圧液体導入口とからなるマイクロバブル発生装置を用いて、このマイクロバブル発生装置が噴射するマイクロバブル及びそれを含む液体を浴びる被噴射体の健康を増進する健康増進装置において、
キャップ前面において、中央部を塞いで、その周辺部のみに開孔した別容器を前記他端側に備え、且つ、被噴射対象に対し、水中で、マイクロバブルを含む塊状の液体を噴射し、空中の任意の位置からマイクロバブルを含むシャワー状の液体を噴射する少なくとも１機の前記マイクロバブル発生装置を備えることを特徴とする健康増進装置とした（請求項１の発明  以下、マイクロバブル洗浄装置と称する）
【００１２】
一端側に気体導入孔が開設され、他端側に開口部が形成された円筒形スペースを有する容器本体と、前記円筒形スペースの内壁円周面の一部にその接線方向に開設され、且つ、加圧された液体を送水する配管に接続される加圧液体導入口とからなるマイクロバブル発生装置を用いて、このマイクロバブル発生装置が噴射するマイクロバブル及びそれを含む液体を浴びる被噴射体の健康を増進する健康増進装置において、
前記配管から分岐された分岐配管に前記加圧液体導入口が接続される複数のマイクロバブル発生装置が、水槽に収容された被噴射対象に
に向い、前記各開口部が前記被噴射対象に臨むように配置されていることを特徴とする健康増進装置とした（請求項２の明）。
【００１３】
前記マイクロバブル発生装置は、液体中で、マイナス４０ミリボルト前後の負電位を有し、その直径が約１０〜４０μｍのマイクロバブルを大量に発生させ、その発生直後から、そのほとんどを収縮させるマイクロバブルを発生させることを特徴とする健康増進装置とした（請求項３の発明）。
【００１４】
前記マイクロバブル発生装置の他端側には、前記開口部から噴射されるマイクロバブルをシャワー状に噴射させるキャップが着脱自在に取り付けられていることを特徴とする健康増進装置とした（請求項４の発明）。
【００１５】
前記被噴射対象に対し、マイクロバブルとそれを含む液体を近接させて噴射できるように、前記開口部が配置されていることを特徴とする健康増進装置とした（請求項５の発明）。
【００１６】
前記被噴射対象は、愛玩動物のペットであることを特徴とする健康増進装置とした（請求項６の発明）。
【００１７】
前記被噴射対象は、半身浴又は全身浴の被噴射者であることを特徴とする健康増進装置とした（請求項７の発明  以下、出前マイクロバブル介護浴装置と称する）。
【００１８】
前記被噴射対象は、被噴射者の膝であることを特徴とする健康増進装置とした（請求項８の発明  以下、出前膝浴装置と称する）。
【００１９】
前記健康増進装置には、可動架台が設けられていることを特徴とする健康増進装置とした（請求項８の発明）。
【００２０】
前記健康増進装置には、ヒータが付けられていることを特徴とする健康増進装置とした（請求項９の発明）。
【００２１】
前記健康増進装置には、その作動を制御するタイマが付けられていることを特徴とする健康増進装置とした（請求項９の発明）。
【００２２】
前記健康増進装置は、マイクロバブルを含む液体の噴出圧、流量又は液体温度を制御できることを特徴とする健康増進装置とした（請求項１０の発明）。
【発明の効果】
【００２３】
本発明に係る健康増進装置は、マイクロバブル発生装置と水槽とが物理的に一体化されたものではなく、水槽として入浴装置の浴槽を使用する場合に健康増進装置を簡単に設置できて、健康増進装置に可搬性を加えることができる。
【００２４】
水槽に収容された被噴射対象に対し、水中で、マイクロバブルを含む塊状の液体を噴射し、空中の任意の位置からマイクロバブルを含むシャワー状の液体を噴射するマイクロバブル発生装置を備えることで、被噴射対象に対してマイクロバブルを含む液体を近接噴射させることができる。
また、マイクロバブル発生装置をシャワーとして使用できるので、温浴以外の用途、例えば、被噴射対象に付着した汚れを落とす洗浄装置に応用でき、健康増進装置の利用を、愛玩動物のペットにも広げることができる。
【００２５】
複数のマイクロバブル発生装置が被噴射対象に向い、前記各開口部が前記被噴射対象に臨むように配置されるので、被噴射対象に対してマイクロバブル発生装置を集積させて配置でき、また被噴射対象に対して水槽内にマイクロバブルを高密度で充満させることができ、さらに集中的なマイクロバブルの近接噴射が可能となる。
よって被噴射体の血流の促進をはじめ、温浴の効果等が発揮されて、健康増進に有用であると共に、被噴射対象に付着した汚れの洗浄等の効果を奏することができる。
【００２６】
さらに、後述の実施例のように、客観性のある定量的な実験データ等を揃えて、マイクロバブル発生装置が健康増進に有用であることを明らかにして、その上で健康増進装置を提供することができる。
【図面の簡単な説明】
【００２７】
【図１】マイクロバブル洗浄装置の構成を示す斜視図、
【図２】（１）及び（２）同装置の使用状態を説明する説明図、
【図３】マイクロバブル発生装置の断面図、
【図４】別例のマイクロバブル発生装置の断面図、
【図５】（１）〜（３）  マイクロバブル発生装置を構成する別例の別容器の斜視図、作用説明図及び正面図、
【図６】出前マイクロバブル介護浴装置の平面図、
【図７】同側面図、
【図８】同装置のマイクロバブル発生装置の組付状態を示す断面図、
【図９】別例の出前マイクロバブル介護浴装置の平面図、
【図１０】同側面図、
【図１１】出前膝浴装置の平面図、
【図１２】同側面図、
【図１３】出前膝浴装置の正面図、
【図１４】同正面図、
【図１５】実施例において使用されたマイクロバブル発生装置の図面代用写真、
【図１６】マイクロバブルの作用説明図、
【図１７】マイクロバブルの作用を表す図面代用写真、
【図１８】マイクロバブルの作用説明図、
【図１９】マイクロバブルの作用説明図、
【図２０】マイクロバブルの作用を表す図面代用写真、
【図２１】マイクロバブルの作用を説明するグラフ、
【図２２】実施例において使用された出前マイクロバブル介護浴装置の図面代用写真、
【図２３】実施例において使用された別例の出前マイクロバブル介護浴装置の図面代用写真、
【図２４】実施例において使用された別例の出前マイクロバブル介護浴装置の図面代用写真、
【図２５】実施例において使用された出前マイクロバブル介護浴装置の図面代用写真、
【図２６】実施例において使用された別例の出前マイクロバブル介護浴装置の図面代用写真、
【図２７】実施例において使用された別例の出前マイクロバブル介護浴装置の図面代用写真、
【図２８】実施例において使用された出前マイクロバブル介護浴装置の使用説明図、
【図２９】出前マイクロバブル介護浴装置による実験結果を示すグラフ、
【図３０】出前マイクロバブル介護浴装置による実験結果を示すグラフ、
【図３１】出前マイクロバブル介護浴装置による実験結果を示すグラフ、
【図３２】出前マイクロバブル介護浴装置による実験結果を示すグラフ、
【図３３】出前マイクロバブル介護浴装置による実験結果を示すグラフ、
【図３４】出前マイクロバブル介護浴装置による実験結果を示すグラフ、
【図３５】実施例において使用された出前膝浴装置の図面代用写真、
【図３６】同図面代用写真、
【図３７】同図面代用写真、
【図３８】実施例において使用された別例の出前膝浴装置の図面代用写真、
【図３９】同図面代用写真、
【図４０】同要部を示す図面代用写真、
【図４１】同要部を示す図面代用写真、
【図４２】実施例に係る出前膝浴装置による実験の様子を示した図面代用写真、
【図４３】実施例に係る別例の出前膝浴装置による実験の様子を示した図面代用写真、
【図４４】出前膝浴装置による実験結果を示すグラフ、
【図４５】出前膝浴装置による実験結果を示すグラフ、
【図４６】出前膝浴装置による実験結果を示すグラフである。
【発明を実施するための形態】
【００２８】
マイクロバブル洗浄装置
実施形態に係るマイクロバブル洗浄装置を図面に基づいて説明する。
この図及び後述する各図において、同一構成は、同一符号を付けることにより、重複した説明を省略する。
【００２９】
図１及び図２に図示するように、マイクロバブル洗浄装置は、水槽１に浸漬された被噴射対象Ｔ（本図では図示せず）に対し、水中でマイクロバブルを含む塊状の液体を噴射し、空中の任意の位置からマイクロバブルを含むシャワー状の液体を噴射する前記マイクロバブル発生装置２がポンプＰに接続されて構成されている。
なお、ポンプＰは水槽１の湯水等を吸水管３を介して吸水する共に加圧水を吐出管４を介して前記ＭＢ装置２に循環供給するもので、このポンプＰによるＭＢ装置２への加圧水の循環供給の構成は、以下の実施形態及び実施例においても略同様である。
【００３０】
前記マイクロバブル発生装置２は、図３のように、一端側の壁体に開設され、且つ、気体導入管２００に接続される孔気体導入孔２０と、他端側に開口部２１が形成された円筒形スペース２２を有する容器本体２３と、前記円筒形スペース２２の内壁円周面の一部にその接線方向に開設され、且つ、前記吐出管４に接続される加圧液体導入口２４とからなる。
【００３１】
図３のように、前記他端側に前記開口部２１を取り囲む大きさで、且つ、多数の透孔２７を有する壁体を備え、液体を貯留できる別容器２６を取り付けてもよい。また、図４のように、前記他端側に、開口２５を設けた別容器２８を取り付けてよい。
【００３２】
これらの別容器２６、２８を設けることにより、別容器２６、２８内で高濃度気体溶解液（マイクロバブル）を生成させることができるので、随時簡単にマイクロバブルを製造・供給することができる。
また、前記別容器２６又は別容器２８を設けることで、シャワー状にマイクロバブルを噴射できる。
また、別容器２６等を設けない前記開口部２１からの噴射音に比べ、別容器２６等を取り付けた場合の前記透孔２７又は前記開口２５からの噴射音は減衰される。
【００３３】
また、図５（１）及び（２）のように、別容器２９のキャップ前面２９０において、中央部２９１を塞いで、その周辺部２９２のみに開孔してもよい。
このような構成は、キャップ内２９３に循環流を形成させ、気体導入管２００からの気体吸入量をより増加させ、キャップ内２９３の圧力を高めてシャワー状の液体をより高速で噴射することができる。
図５（３）のように、開孔する孔の大きさにおいて、外側の孔２９５の径を小さくして、内側の孔２９６の径をより大きくすることによって、２種類の噴射液体を流出させるようにしてもよい。
例えば外側の孔２９５の直径を約１ｍｍ前後とし、内側の孔２９６の径の直径を約１．５ｍｍ前後の細孔とする。
外側の孔２９５からの吹き出しにおいては孔２９５からの液体の噴出速度をより増加させることで、皮膚や被毛の洗浄機能を増大させ、また、液体にシャンプー液が含まれている場合には、その噴出速度の増大によって、より細かい泡をより多く増加させることで洗浄機能を増大させる。
内側の孔２９６からの吹き出しにおいては、噴出する液体においてマイクロバブルをより多く含ませることによって、温浴効果的機能をより増大させることができる。
【００３４】
前記別容器２６、別容器２８又は別容器２９をキャップ状にして、他端側の容器本体２３にネジを切り、着脱自在に取り付けるようにしてもよい。
【００３５】
なお、本書においては、「開口部」には、前記符号「２１」の開口部に加えて、符号「２５」の開口、符号「２７」の透孔及び符号「２０３」の孔を含ませることとする。
【００３６】
このマイクロバブル洗浄装置において用いられる前記マイクロバブル発生装置２は少なくとも１機でよく、また複数機でもよい。
【００３７】
被噴射者が入浴する浴槽１０にポンプＰの吸水管３と吐出管４の各先端を浸漬させてポンプＰを起動させることにより、図（１）及び同図（２）のように、前記マイクロバブル発生装置２は水中でマイクロバブルを含む塊状の液体を噴射し、空中の任意の位置からマイクロバブルを含むシャワー状の液体を噴射する。
【００３８】
被噴射体としては、入浴者の他、愛玩動物のペットをシンク等の水槽１に収容してもよい。
【００３９】
前記水槽１にシャンプー、ボディソープ等を投入してポンプＰを起動させると、大量のマイクロバブルの泡（マイクロバブルフォームと表記する）を発生させることができる。
シャンプー等の投入量は、水約１００００ｍｌに対し、約１０ｍｌでよい。
【００４０】
図示は省略するが、ペットを収容するシンク等には、湯水等を加温するヒータを設けるようにしてもよい。
また、前記マイクロバブル洗浄装置の作動を制御するタイマを付けるようにしてもよい。
さらに、同装置のマイクロバブルを含む液体の噴出圧、流量又は液体温度を制御できるスイッチを設けるようにしてもよい。
【００４１】
この前記マイクロバブル洗浄装置の作用効果は、次の通りである。
（１）被噴射対象に対し、水中で、マイクロバブルを含む塊状の液体を噴射し、空中の任意の位置からマイクロバブルを含むシャワー状の液体を噴射するマイクロバブル発生装置を備えることで、被噴射対象に対してマイクロバブルを含む液体を近接噴射させることができる。
（２）マイクロバブルフォームの優れた洗浄力により、シャンプー等の使用量を大幅に減らした低濃度の溶液でも、十分な洗浄力を発揮できる。
（３）マイクロバブルフォームは、従来のシャンプー等の濃度に比べ各段に低濃度（約１／１００の低濃度）なので、被噴射体やペットの皮膚への負担が少なくなる。
（４）マイクロバブルフォームによる洗浄は、ペットの被毛の汚れを取ることで、水分が被毛に浸透し易くなり、被毛に弾力を与えることができる。
（５）マイクロバブルフォームによる洗浄は、温浴効果も得ることができる。
即ち、水槽１の下部においては、マイクロバブルフォームを含む液体にペットの足や腹部を浸潤させることにより、洗浄と温浴を可能にする。
また、その液体浸潤部より上部においては、マイクロバブルフォームの温浴を可能とする。
【００４２】
出前マイクロバブル介護浴装置
出前マイクロバブル介護浴装置は、図６〜図８に図示したように、外形が略カマボコ型の箱体５に、４機のマイクロバブル発生装置２ａ〜２ｄが収容され、前記各開口部２１が、水槽１に収容された被噴射対象に臨むように、箱体５の正面５０に配置されている。
【００４３】
箱体５の正面５０から立ち上がる各側面５１、平面５２及び底面５３は、背面５４に向けて、ラウンド状に形成されている。
よって、箱体５の正面５０が、被噴射対象に臨むように水槽１に配置された場合に、各側面５１、平面５２、底面５３及び背面５４は、水槽１の隅部等にフィットすることとなる。
【００４４】
前記側面５１には、前記吐出管４の先端を引入れる引入口５５が形成され、この引入口５５から箱体５の内部に引き入れられた前記吐出管４は、ヘッダー５６に接続される。
このヘッダー５６にはフレキシブル管４３を用いた分岐配管４１（図２５参照）が取り付けられており、各ＭＢ装置２の加圧液体導入口２４に接続される。
【００４５】
以上のように構成された出前マイクロバブル介護浴装置は、浴槽１０の壁面で背面側が保持されて、被噴射者の腰又は背中にマイクロバブルを含む液体が近接噴射される（図２８参照）。
【００４６】
出前マイクロバブル介護浴装置の作用効果は、次の通りである。
（１）複数のマイクロバブル発生装置２の前記各開口部２１が、水槽１に収容された被噴射対象に臨むように配置されるので、被噴射対象に対してマイクロバブル発生装置を集積させて配置でき、また被噴射対象に対して水槽内にマイクロバブルを高密度で充満させることができ、さらに集中的なマイクロバブルの近接噴射が可能となる。
よって被噴射体の血流の促進をはじめ、温浴の効果等が発揮されて、健康増進に有用であると共に、被噴射対象に付着した汚れの洗浄等の効果を奏することができる。
（２）後述の実施例に基づき、客観性のある定量的な実験データ等が揃えられて、この出前マイクロバブル介護浴装置が健康増進に有用であることが明らかとなった。
（３）日常的には入浴装置として使用し、出前マイクロバブル介護浴装置を浴槽にセットするのみで、簡単に、康増進装置に変換できるようになっている。
【００４７】
図９及び図１０は、別例の出前マイクロバブル介護浴装置を示すものたで、同装置は、外形が略楔型の箱体５に、８機のマイクロバブル発生装置２ａ〜２ｈが収容され、前記各開口部２１が、水槽１に収容された被噴射対象に臨むように、箱体５の正面５０に配置されている。
前記箱体５の底面５３はラウンド状に形成されており、水槽１の隅部等にフィットするようになっている。
この出前マイクロバブル介護浴装置によれば、被噴射者の腰及び背中にかけてマイクロバブルを含む液体が近接噴射される。
その他の構成及び効果は、上記実施形態と同様である。
【００４８】
出前膝浴装置
出前膝浴装置は、図１１〜図１４に図示するように、水槽１に収容される被噴射対象の被噴射者の片膝を跨ぐように形成された略逆Ｕ字状の一対のアーム６に、複数のＭＢ装置２ａ〜２ｆが片膝に向って配置され、且つ、前記開口部２１が片膝に臨むように取り付けられている。
【００４９】
一対のアーム６は、その各上部が図１３及び図１４のように被噴射者の片膝にフィットするように調節可能な長孔板６０により連結されている。また、一対のアーム６の各脚部の上下端が調節可能な長孔板６１により連結されている。
一対のアーム６の自由端は、足部６２に固定され、その足部６２にはパッドが取り付けられている。
【００５０】
前記ＭＢ装置２の内、ＭＢ装置２ａ及び２ｂ並びにＭＢ装置２ｃ及び２ｄは、一対のアーム６にそれぞれ架け渡されたヘッダーの分岐配管４１に前記各加圧液体導入口２４が接続されている（図３７及び図３８参照）。
ＭＢ装置２ｅ及び２ｆは、前記長孔板６０、６０に接続された板材に固定されている。
よって、各開口部２１が片膝の膝頭を囲むことができるように配置されている。
【００５１】
以上の構成に係る片膝浴マイクロバブル装置によれば、次のような作用効果を奏する。
（１）  ＭＢ装置２ａ及び２ｂ並びにＭＢ装置２ｃ及び２ｄ、及びＭＢ装置２ｅ及び２ｆは、各開口部２１が膝の膝頭等を囲むように配置されているので、膝頭等に対し高密度に、且つ、集中的にマイクロバブルを浴びせることができる。
その他の構成及び効果は、上記実施形態と同様である。
【００５２】
両膝の出前膝浴装置は、水槽１に収容される被噴射対象の被噴射者の両膝を跨ぐように形成された略逆Ｕ字状の一対のアーム６に、複数のＭＢ装置２ａ〜２ｈが膝の上方に向って配置され、且つ、前記開口部２１が両膝に臨むように取付けられている（図３８乃至図３９参照）。
よって、各開口部２１が両膝の膝頭を中心に、膝の長手方向に沿って膝を上方から臨むように配置されているので、膝に対し高密度に、且つ、集中的にマイクロバブルを浴びせることができる。
その他の構成及び効果は、上記実施形態と同様である。
【００５３】
＜実施例１（出前マイクロバブル介護浴装置の実施例）＞
ここで、実施例１及び以下の各実施例に用いたマイクロバブル発生装置とマイクロバブルの物理化学的特性の基本を明らかにする。
（１）マイクロバブル発生装置
図１５に、そのマイクロバブル発生装置を示す。この装置の特徴は、大幅な血流促進を実現させるとともに、マイクロバブルの噴射方向を制御できることにある。即ち、マイクロバブルの噴出が正面方向に正しく噴射できる。
その際、装置出口部（開口部２１）の細孔の大きさが重要な因子になることから、そのサイズと数を決める試験も行った。この場合、この細孔が小さすぎるとマイクロバブルが出なくなり、大きすぎると高濃度溶解性の制御が困難になり、さらに、その噴射方向の制御ができなくなるので、その最適条件を探索した。
そこで、本装置の出口部の細孔径を１ｍｍ、１．５ｍｍ、２ｍｍ、２．５ｍｍと検討し、最適径として２ｍｍを決定した。また、その細孔径に開閉率の変化に応じて、血流促進量が異なることが判明したので、それを以下のように定義し、そのそれぞれの特徴に応じての適用を行った。
ここで、開孔率１００％とは、装置出口部の細孔が４０個である状態をいうものとする。
レベル１：開孔率１００〜７０％、マイルドな血流促進、通常浴と比較しての血流促進が１．５〜２．０倍を目安にする。
レベル２：開口率６０〜４０％、大幅な血流促進、通常浴と比較しての血流促進が２．０〜４．０倍を目安にする。
レベル３：開口率４０〜２０％前後、大幅な血流促進、通常浴と比較しての血流促進が４．０〜５．０倍以上を目安にする。
【００５４】
（２）マイクロバブルの物理化学的特性
マイクロバブル技術は、液体と気体の両方を高度な水準で活用することに特色があり、液体中でのマイクロバブルの大量発生は、その作用対象物において、従来よりもはるかに広い境界領域において、多数の結束点に基づく新たな法則を生み出させた。
そして、この境界領域の拡大は、マイクロバブル化によって「液体中でありながらも気体としての性質をより引き出させ」、「気体であっても液体のような性質をより帯びる」という「新たな意味づけ」を見出す契機を創り出した。
図１６に、その境界領域の拡大と、そこでの多数の結束点の出現に関する概念スケッチを示す。当然のことながら、この拡大と出現によってマイクロバブルと、それを含む液体（「マイクロバブル水」と呼ぶ）は、従来、広く用いられてきた「ミリバブル（直径がミリメートルサイズの気泡のことをいう）」とは本質的に異なる、次の固有の物理化学的特性を有していた（大成博文：マイクロバブルのすべて、日本実業出版社、２００６年参照）。
（イ）マイクロバブルの収縮
（ロ）マイクロバブルの負電位帯電と増加
（ハ）マイクロバブルの発光
（二）マイクロバブル水の弱アルカリ化
【００５５】
図１７に、海水中で大量発生しているマイクロバブルの様子を示す。このマイクロバブルのほとんどが、その発生直後から収縮を開始し、その後、短時間において液体中に消滅・溶解する。この収縮過程において、マイクロバブルは負電位を増加させ、さらに発光を繰り返す。これらは一連の現象であり、上記（イ）が引き金となり、（ロ）と（ハ）の現象が付随的に形成される関係を有している。
また、その収縮運動に伴って、マイクロバブル内では「高温高圧化」が実現され（二）の重要な化学反応が生起する。それらの特性と過程が、後述するように人体の生理活性に小さくない影響を与えることになることから、次に、それらの特性をより詳しく考察する。
（イ）マイクロバブルの収縮
マイクロバブルの収縮運動が最も重要な物理的現象の一つとされる理由は、それが開始されるとともに、マイクロバブル内のエネルギーが徐々に高まり、その結果として化学反応を引き起こすという一連の過程の「契機」を創り出すことにある。
それゆえに、収縮しないマイクロバブルや、その収縮速度が小さいマイクロバブルにおいては化学反応が起こらないので、マイクロバブルの基本的性質が大きく異なってしまうことに注意を払うことが重要である。
一方、マイクロバブルの発生頻度分布における最頻値は２０〜４０μｍであり、この範囲の気泡径を有するマイクロバブルが全体の約６割を占め、それらが、発生直後から一斉に収縮運動に向かうのである（大成博文：マイクロバブルのすべて、日本実業出版社、２００６年参照）。
また、水道水において発生したマイクロバブルを約８００倍に可視化し、それを時間的に追跡した連続画像を図１８に示す。これより、マイクロバブルが比較的短時間に収縮し、消滅していく様子が明らかである。
マイクロバブルの収縮運動が開始される原因は、超高速旋回式マイクロバブル発生装置内においてマイクロバブルを生成させる際に、その中心軸付近に形成された気体空洞部において−０．０６ＭＰａ程度の負圧が形成され、これが秒速約５００回転という超高速旋回速度で切断・粉砕されることによってマイクロバブルが発生することにある（大成博文：マイクロバブルのすべて、日本実業出版社、２００６年参照）。
したがって、発生した直後のマイクロバブル内では、この影響を受けて負圧になっていると考えるのが自然である。また、その発生後は、周囲の液体による正圧の影響を受けることから、その内外の圧力差で自動的に収縮が開始される。その後、この収縮と、その反動で起こる膨張を繰り返しながら、その収縮とともに、マイクロバブル内の高温高圧化が進み、より溶解しやすくなり、さらに、その溶解と収縮が促進されていくことが観察されている。この過程の概念モデルを図１９に示す。
【００５６】
（ロ）マイクロバブルの負電位特性と発光現象
マイクロバブルの負電位特性は、その直径が小さいほど高く、その直径が約１０〜３０μｍの範囲で約−４０ｍＶのピークを形成することにある。この増加は、収縮の進行とともにマイクロバブル内のエネルギーが徐々に高まることを示唆しており、その結果として、主として、その熱励起が発光現象に結びついているように思われる。
技術的に重要なことのひとつは、マイクロバブルの負電位特性が洗浄力を高めることにあり、マイククロバブルが正電位を有する有機物の汚れに付着し、剥離させることによって高洗浄力の機能性を生み出すことである。また、ハ）の発光も、その高温高圧化の作用によって微細な有機物を、あたかも「瞬間的に燃やしてしまう」ことで除去してしまう作用や、この瞬間的な温度勾配の出現によって高浸透性が生まれる効果などの機能性が注目される。
図２０に、マイクロバブルが発光した瞬間の画像の一例を示す（この発光特性については文献、大成博文：光マイクロバブルとは何か、マイクロ・ナノバブル技術シンポジウム講演論文集、４８−５３、２００７において、やや詳しく考察されている）。
【００５７】
（二）マイクロバブル水の弱アルカリ化
図２１に示されるように、水槽に水道水を入れて、その水を循環させながら、空気マイクロバブルを連続的発生させた場合に、その溶液は弱アルカリ化傾向を示すことが知られている。しかし、このアルカリ化の原因は長い間不明のままであり、いわば、「マイクロバブルの謎」の一つであった。
その謎解きが困難であった理由は、瞬間的とはいえ、マイクロバブル内が高温高圧化し、化学反応が起こり、その合成物質が生まれるという現象を容易に想起できず、その分析法を確立できなかったことにあった。しかし、本主任研究者らは、このマイクロバブル水中で産生されたアルカリ化物質を突止め、２０１１年に、その特許の出願を済ませた（大成博文他：日本国特許、特開２０１１−６８５５５、２０１１）。
このアルカリ化物質の正体は、ごく微量のアンモニアであった。このアンモニアは、ごく微量である場合には、植物の栄養としての作用があり、その最適濃度は０．３ｐｐｍといわれている。図２１で製造された溶液のアンモニアが、このアンモニア濃度とほぼ同一であった。このアンモニアの生成の過程において、上記のマイクロバブルの生物活性、とりわけ、血流促進と深く関係しているように思われる。
また、マイクロバブルの生物活性作用は、溶液中の一酸化窒素の生成にも関係していて、この物質による血管拡張と血流促進作用が注目される。
【００５８】
図２２〜図２４に、開発された出前マイクロバブル介護浴装置（出前浴装置、出前マイクロバブル入浴装置とも称する）を示す。この装置においては、マイクロバブル発生装置の集積具合が重要であり、図２４の場合は８機、図２３では６機、図２２では４機の集積を可能にした。また、これらのマイクロバブル発生装置（同写真中の小さな円形部に先端が見えている）の配置においては、人の腰下部および上部、肩甲骨部付近にマイクロバブルを集中して噴射させ、そこでの血流促進を実現させることにした。さらに、この集積化を軸とした装置設計においては、既存の要介護者の風呂に、簡単に搬入・設置ができるように、その小型化、コンパクト化、デザイン、運転時の安全性、固定方法などにおいて、それぞれ必要な工夫を行った。
【００５９】
なお、図２２〜図２４の装置写真の左側には、吸入側と突出側のホースと、その吸入側ホースの先端には、ストレーナが配備されている。
【００６０】
また、図２５には、小型出前マイクロバブル入浴装置（４機用）の裏側のマイクロバブル発生装置の配備や配管の様子が示されている。
図２６及び図２７には、大型出前マイクロバブル入浴装置（８機用）における表面と裏面におけるマイクロバブル発生装置の配備の様子ほかが示されている。これより、マイクロバブル発生装置の集積具合や配管の様子などが明らかである。
さらに、図２８には、本装置による背中へのマイクロバブル噴射のスケッチが示されている
以上のように、マイクロバブル発生装置を４〜８機集積させた小型でコンパクトな出前用介護浴装置におけるマイクロバブル発生部が開発された。これらの装置を用いて、入浴時の皮膚表面付近における大幅な血流促進が可能になることから、その適用における実証試験を詳しく行うことが重要である。
なお、上記の装置は、要介護者の風呂事情や生活リハビリの状況、要介護者の希望などに応じて、その適切な選択がなされる必要があるように思われる。
以上を踏まえて、表１に、装置ごとの出前マイクロバブル入浴装置におけるマイクロバブル発生装置の配備数、達成水準、血流促進目標、特徴を示す。
【００６１】
【表１】
2018094328.tif 000003
【００６２】
図２９〜図３４に、大型出前マイクロバブル入浴装置を用いて行った血流試験の代表的な結果を示す。最前者における被験者は５０歳代の男性であり、次に５０歳代の女性、４０歳代の女性と、それぞれ続いている。試験時の水温は、いずれも約４０℃であった。それぞれは、前述のレベル２に対応している。
これらの結果より、それぞれの図内に示された赤点線丸１の血流量を基準にすると、それぞれのマイクロバブルによる血流促進量は、順に、４．４倍、５．５倍、３．８倍を示しており、いずれも当初の目標値を超過達成している。また、マイクロバブルの停止後の血流量をマイクロバブル発生開始前と比較すると、それぞれ、２．４倍、１．６倍、２．７倍と、いずれも高い残存効果を示していて、マイクロバブルによる血流促進効果が持続して起こっていることが明らかである。
また、これらのマイクロバブルによる血流促進の傾向は三者三様であり、細かくは、それぞれ微妙に異なる特徴が現れている。
まず、図２９の５０歳代の男性の場合、マイクロバブルの発生と共にマイクロバブルによる血流量の増加が短期間に起こり、その後は点線丸２の部分のように一定値を維持している。それに対し、図３０の５０歳代の女性の場合は、その急激な血流量の増加は起こらず、時間経過と共に血流量が徐々に増加していく傾向が示されている。
一  方、図３１において示された４０歳代の女性の場合は、図２９の場合の男性の血流促進の傾向に似て、急激な立ち上がりの増加を示し、その後は、その血流量のかなりの大きな変動を示している。このやや大きな変動は、被験者の呼吸の程度とも関係していているように思われる。
以上のように、被験者によって、これらの血流の変化は微妙に異なることから、その原因解明については今後の詳しい検討が必要である。
図３２〜３３に、中型出前マイクロバブル入浴装置を用いて行った血流試の代表的な結果を示す。前者における被験者は５０歳代の女性であり、次は２０歳代の男性である。試験時の水温は、いずれも約４０℃であった。それぞれは、前述のレベル２に対応している。
これらの結果より、それぞれの図内に示された赤点線丸１の血流量を基準にすると、それぞれのマイクロバブルによる血流促進量は、順に、４．７倍、３．０倍を示しており、いずれも当初の目標値を達成している。また、マイクロバブルの停止後の血流量をマイクロバブル発生開始前と比較すると、それぞれ、３．７倍、１．８倍と、いずれも高い残存効果を示していて、マイクロバブルによる血流促進効果が持続して起こっていることが明らかである。
また、図３２に示された５０歳代の女性の場合の血流変化は、マイクロバブル開始後、やや短期間に増加し、経過時間７分程度から血流促進量において４倍〜６倍の範囲で一定値を示している。さらに、マイクロバブル停止後は、その血流促進の効果がかなり高い水準で維持されていることが珍しく、特筆される現象といえる。
一方、後者の２０歳代男性の場合は、マイクロバブルによる血流促進が、マイクロバブルのなしの状態の浸潤時と比較して約２〜４．５倍の範囲で大きく変動していることに特徴が認められる。
以上のように、中型出前マイクロバブル入浴装置においてもマイクロバブルによる大幅な血流促進の結果が明らかとなった。
図３４に、小型出前マイクロバブル入浴装置を用いて行った血流試験の代表的な結果を示す。被験者は５０歳代の男性である。試験時の水温は約４０℃であった。また、この試験は前述のレベル２に対応している。これより、本装置においてもマイクロバブルによる大幅な血流促進が生起しており、その促進量は、約２．５〜５．３倍（平均値で約４倍）であった。この値は、当初の目標値を十分に達成している。
また、マイクロバブル停止後においても、約２．６倍の血流量を維持しており、マイクロバブルの効果が持続されていることが明らかである。
【００６３】
上記の結果を踏まえ、以下の考察を行った。
（１）一般家庭によくある箱型のバスタブを用いて、３種類の出前マイクロバブル入浴装置の試験を行った。その結果、この出前装置が、円滑に運べて、かつバスタブに簡単に設置することが可能であることを確かめられた。また、これらの装置をバスタブの隅に設置して背中に向けてマイクロバブルを近接噴射させると有効であることが明らかになった。さらに、その際の安全性も確認された。
（２）小型、中型、大型の３種類の装置が開発されたが、いずれも、そのマイクロバブルによる大幅な血流量促進が実現され、当初の目標を超過達成した。また、これらの装置の規模については、出前先のバスタブに応じて、そして、求められる生活リハビリの程度に応じて選択される必要がある。
（３）身体全体に与えるマイクロバブルによる大幅な血流促進の作用効果は、当然のことながら、大型、中型、小型の順で異なり、マイクロバブルの発生量が多いほどより顕著であった（大型、中型、小型の順）。これは、被験者が感じる「ここちよさ」の強度においても同じ傾向を示した。また、足が軽くなった、頭がすっきりしたという精神的作用効果においても同じであった。その結果、規模が大きいほど、すなわち、マイクロバブルの発生量が多いほど、入浴者が、その作用効果を欲するようになり、積極的に入浴希望を求めるようになるという副次的な作用効果も観察された。
以上のように、小型、中型、大型の出前マイクロバブル入浴装置の有効性が確かめられた。今後は、上記３つの究明をより深く行うことが重要である。
【００６４】
＜実施例２（出前膝浴装置の実施例）＞
図３５に「出前膝浴装置−Ａ」の全体システムを示す。左は、マイクロバブル膝浴装置の本体であり、右は、ポンプが配置されたボックスである。これらを２つに分けて現場まで運搬し、その現場で２つの連結を可能にしている。
また、右のポンプボックスには稼働台車（可動架台７）が設置されているので、この上に装置を載せて固定すると、この運搬は、女性一人でも可能になる。
次に、図３６〜図３７に、出前膝浴装置−Ａの正面視および平面視の一例を示す。これより、マイクロバブル発生装置を上方から２機、そして側方から左右それぞれ２機ずつで、マイクロバブルを足に向かって近接噴射する仕組みになっている。これによって、３方向からの片膝へのマイクロバブルの集中的な近接噴射が可能である。
【００６５】
次に、図３８に「出前膝浴装置−Ｂ」の全体システムを示す。これも、上記「Ａ装置」と同様に、マイクロバブル発生部とポンプ部の２つで構成されていて、その運搬時には互いに切り離しての移動が可能である。また、図３９からも明らかなように、マイクロバブル発生装置は左右に４機ずつ、足の長さ方向に膝を中心にして合計８機が集中的に配置されている。さらに、これらの装置には、気体ヘッダーと液体ヘッダー（図４０及び図４１参照）の２つが連結されている。
この装置が両足の膝の上に被せられ、そこからマイクロバブルを大量に、しかも集中的に近接噴射させることが可能になった。
図４２に、「出前膝浴装置−Ａ」を用いて、マイクロバブル実験を行っている様子を示す。本写真においては、マイクロバブルは小さすぎて明確に写しだされていないが、実際の目視においては大量のマイクロバブルが、この両膝付近に発生していることが観察された。
また、図４３に、「出前膝浴装置−Ｂ」を用いて、マイクロバブル実験を行っている様子を示す。ここでも、上記のＡ装置と同様に、大量のマイクロバブルが装置付近に発生していることが確認された。
以上のように、本出前膝浴装置は、マイクロバブル発生装置本体のみでよく、それを湯船に浸潤させだけでよく、その意味でシンプルな出前膝浴装置の開発が可能になった。
【００６６】
以上を踏まえて、表２に、装置ごとの出前膝浴装置におけるマイクロバブル発生装置の配備数、達成水準、血流促進目標、特徴を示す。
【００６７】
【表２】
2018094328.tif 000004
【００６８】
図４４に、「出前膝浴装置−Ａ」（片足用）を用いて行った血流試験の代表的な結果を示す。被験者は２０歳代の女性である。用いた液体は水道水であり、水温は約４０℃であった。マイクロバブルを発生させると、血流量はしだいに増加し、８分経過後からは一定値を示している（点線丸２）。これを、点線丸１の浸潤時のレベルと比較すると、その値は約２．４倍を示している。また、マイクロバブルの発生を停止した後も、それをマイクロバブル発生開始前と比較すると約１．７倍を保っており、マイクロバブルの残存効果が示されている。
また、図４５には、同じ装置を用いての６０歳代の男性の血流促進の代表的な計測例を示す。計測時の諸条件は、前図の時と同じである。これより、浸潤時の足の移動に伴う波形の誤作動が、３分過ぎから治まり、その後、マイクロバブルの発生とともに血流量は急激に増加し、その後、ほぼ一定値に落ち着き、１０分あたりから再び増加傾向を示していることが明らかである。マイクロバブル発生後の平均血流量のレベルを点線丸２として、開始前の点線丸１との比を算定すると、３．７倍を示している。また、マイクロバブルを停止した後も、その比は２．７倍もあり、高いマイクロバブルの作用効果の持続が示されている。
【００６９】
図４６に、「出前膝浴装置−Ｂ」（両足用）を用いて行った血流試験の代表的な結果を示す。被験者は３０歳代の男性である。試験時の水は水道水であり、その温度は約４０℃であった。この試験は、前述のレベル２に対応している。
これより、マイクロバブルの発生とともに、膝蓋骨下部（計測部位）の皮膚表面付近においてマイクロバブルよる急激な血流促進が起こっていることが明らかである。これを、図内に示された点線丸１との比をとると、その値は約３．７倍を示している。また、マイクロバブルの停止後の血流量をマイクロバブル発生開始前と比較すると、その値は約３．０倍になり、マイクロバブルの大きな残存効果が現れていることが注目される。
以上のように、両膝浴装置におけるマイクロバブルの血流促進量は、当初の目標である１．５〜３．０倍を達成していることが明らかであり、その残存効果においても高い値が示されている。
また、本実験においては、このマイクロバブルによる血流促進の結果とともに、次の重要な成果が明らかになったので、それを箇条書きにして示す。
（イ）本出前膝浴装置は、膝部の皮膚表面における血流促進を生起させるだけでなく、足全体にわたって、その影響を与えた、いわば膝浴を通じての足改善装置といってもよく、膝部付近の血流促進が足全体の「血の巡り」を改善させたといってもよい。
（ロ）本膝浴中においては、そのマイクロバブル供給によって、「気持ちのよさ」を認識させ、より超時間の入浴を促進させた。結果的に、この長時間入浴が、より大きなマイクロバブルの作用効果を生み出させるという好循環が形成された。
（ハ）本膝浴後に非常に顕著な現象として出現、認識されたのは、足が冷えず、いわゆる「ぽかぽか状態」が長時間にわたって持続されたことであった。下肢が冷えて、困っている患者は多く、これは、それらの方々にとって、非常に有効な冷え改善装置であるといえよう。
以上のことから、マイクロバブルを集中的に膝部とその周辺に噴出させた本出前膝浴装置の重要性が明らかになった。
【００７０】
（１）マイクロバブル技術を用いて、２種類の出前膝浴装置を開発し、その血流促進実験を行った。その結果、そのいずれにおいても、マイクロバブルによる大幅な血流量促進が実現され、当初の目標値を上回ることで、それを超過達成した。今後は、その作用メカニズムの究明と被験者を増やしての定量的な評価を行うことが重要である。
（２）この出前膝浴装置の特徴は、マイクロバブル発生装置を集積させることで高密度小型化が実現されたことにある。この高密度集積の結果、足の膝部分での集中的な血流促進が起こり、それが足全体に及ぶという改善に結びついたことが非常に重要である。
（３）その結果、足の冷えの改善が進み、超時間にわたっての「ぽかぽか状態」が持続した。これは、マイクロバブルの集積と集中的な近接噴射の重要性を改めて浮き彫りにさせた。
（４）両足用および片足用はともに重要な作用効果をもたらす装置であり、その特性に則して装置の適用と選択を行うことが重要である。
【符号の説明】
【００７１】
１  水槽
１０  浴槽
２  ２Ａ〜２Ｄ  ２ａ〜２ｈ  ＭＢ装置
２０  気体導入孔
２１  開口部                            ２２  円筒形スペース
２３  容器本体                          ２４  加圧液体導入口
２５  開口                              ２６  ２８  ２９  別容器
２７  透孔
２９０  キャップ前面                    ２９１  中央部
２９２  周辺部                          ２９３  キャップ内
２９５  外側の孔                        ２９６  内側の孔
３  吸水管                              ３０  吸入口
４  吐出管                              ４０  配管
４１  分岐配管                          ４２  分岐口
４３  フレキシブル管
５  箱体                                ５０  正面
５１  側面                              ５２  平面
５３  底面                              ５４  背面
５５  引入口
５６  ヘッダー
６  アーム                              ６０  ６１  長孔板
６２  足部
７  可動架台
Ｐ  ポンプ
Ｔ  被噴射対象
【図１】
2018094328.tif 000005
【図２】
2018094328.tif 000006
【図３】
2018094328.tif 000007
【図４】
2018094328.tif 000008
【図５】
2018094328.tif 000009
【図６】
2018094328.tif 000010
【図７】
2018094328.tif 000011
【図８】
2018094328.tif 000012
【図９】
2018094328.tif 000013
【図１０】
2018094328.tif 000014
【図１１】
2018094328.tif 000015
【図１２】
2018094328.tif 000016
【図１３】
2018094328.tif 000017
【図１４】
2018094328.tif 000018
【図１５】
2018094328.tif 000019
【図１６】
2018094328.tif 000020
【図１７】
2018094328.tif 000021
【図１８】
2018094328.tif 000022
【図１９】
2018094328.tif 000023
【図２０】
2018094328.tif 000024
【図２１】
2018094328.tif 000025
【図２２】
2018094328.tif 000026
【図２３】
2018094328.tif 000027
【図２４】
2018094328.tif 000028
【図２５】
2018094328.tif 000029
【図２６】
2018094328.tif 000030
【図２７】
2018094328.tif 000031
【図２８】
2018094328.tif 000032
【図２９】
2018094328.tif 000033
【図３０】
2018094328.tif 000034
【図３１】
2018094328.tif 000035
【図３２】
2018094328.tif 000036
【図３３】
2018094328.tif 000037
【図３４】
2018094328.tif 000038
【図３５】
2018094328.tif 000039
【図３６】
2018094328.tif 000040
【図３７】
2018094328.tif 000041
【図３８】
2018094328.tif 000042
【図３９】
2018094328.tif 000043
【図４０】
2018094328.tif 000044
【図４１】
2018094328.tif 000045
【図４２】
2018094328.tif 000046
【図４３】
2018094328.tif 000047
【図４４】
2018094328.tif 000048
【図４５】
2018094328.tif 000049
【図４６】
2018094328.tif 000050